(57)【要約】【課題】床版３の組立作業を簡略化して、床版３の組立コスト、換言すれば、橋梁の構築コストを低減すること。【解決手段】床版３の外端部にコンクリート製の残存型枠１１が立設され、残存型枠１１の下端側が床版３よりも下方向へ突出し、残存型枠１１の内側面にコンクリート壁２７が一体的に接合され、残存型枠１１の内側面の下端側に底板５の上面に近接した下部シール保持板３３が残存型枠１１の幅方向に沿って横断するように設けられ、下部シール保持板３３の下面と底板５の上面との間に下部シール材３５が設けられたこと。【選択図】図１
2009161944.tif 000002
【特許請求の範囲】
【請求項１】
建築物の床版に構築された壁構造において、
前記床版の外端部に立設され、下端側が前記床版よりも下方向へ突出したコンクリート製の残存型枠と、
前記残存型枠の内側面に一体的に接合され、前記残存型枠と前記残存型枠の内側に配置した内側型枠との間にコンクリートを打設することによって形成されたコンクリート壁と、
前記残存型枠の内側面の下端側に前記残存型枠の幅方向に沿って横断するように設けられ、前記床版における底板の上面に近接した下部シール保持板と、
前記下部シール保持板の下面と前記底板の上面との間に設けられた下部シール材と、を具備したことを特徴とする壁構造。
【請求項２】
前記下部シール保持板の先端側は、水平方向に対して上向きに傾斜していることを特徴とする請求項１に記載の壁構造。
【請求項３】
前記残存型枠の内側面の上端側に前記残存型枠の幅方向に沿って横断するように設けられ、前記コンクリート壁の上面に近接した上部シール保持板と、
前記上部シール保持板の下面と前記コンクリート壁の上面との間に設けられた上部シール材と、を具備したことを特徴とする請求項１又は請求項２に記載の壁構造。
【請求項４】
前記上部シール保持板は、先端側が低くなるように水平方向に対して傾斜していることを特徴とする請求項３に記載の壁構造。
【請求項５】
建築物の床版に構築された壁構造において、
前記床版の外端部に立設されたコンクリート製の残存型枠と、
前記残存型枠の内側面に一体的に接合され、前記残存型枠と前記残存型枠の内側に配置した内側型枠との間にコンクリートを打設することによって形成されたコンクリート壁と、
前記残存型枠の下面と前記床版における底板の上面との間に挟持されるように設けられ、前記残存型枠の幅方向の全域に亘って延びてあって、外端側が下方向を向くように折曲がっているシール板と、を具備したことを特徴とする壁構造。
【請求項６】
前記残存型枠と前記シール板の上面との間に挟持されるように設けられ、前記残存型枠の幅方向の全域に亘って延びてあって、先端側が水平方向に対して上向きに傾斜したコーキング保持板と、
前記コーキング保持板の下面と前記床面の上面との間に充填するように設けられたコーキング材と、を具備したことを特徴とする請求項５に記載の壁構造。
【発明の詳細な説明】
【技術分野】
【０００１】
本発明は、例えば橋梁等の建築物の床版に構築された壁構造に関する。
【背景技術】
【０００２】
近年、工期短縮等を要請に応じて、橋梁等の建築物の床版に構築された壁構造には、コンクリート製の残存型枠が広く用いられている。そして、コンクリート製の残存型枠を具備した従来の壁構造の構成、及び壁構造の周辺構造の構成について図９を参照して説明すると、次のようになる。ここで、図９は、従来の壁構造の断面図である。
【０００３】
図９（ａ）に示すように、従来の壁構造１０１（１０１Ａ）は、例えば橋梁の床版１０３に構築されたものであって、床版１０３の外端部には、壁構造１０１（１０１Ａ）の一部を構成するコンクリート製の残存型枠１０５が立設されている。また、残存型枠１０５の内側面には、コンクリート壁１０７が一体的に接合されており、このコンクリート壁１０７は、残存型枠１０５と残存型枠１０５の内側に配置した内側型枠（図示省略）との間にコンクリートを打設することによって形成されるものである。
【０００４】
一方、壁構造１０１の周辺構造である床版１０３は、例えば橋梁の橋桁（図示省略）に設けられた底板１０９と、この底板１０９の上面に接合されたコンクリート床１１１と、底板１０９の外端面に溶接によって設けられかつ残存型枠１０５の表面上の雨水を切る水切り用両フランジ１１３とを備えている。また、コンクリート床１１１は、底板１０９の上側にコンクリートを打設することによって形成されるものである。
【０００５】
なお、本発明に関連する先行技術として特許文献１に示すものがある。
【特許文献１】特許第３６３６９６０号公報
【発明の開示】
【発明が解決しようとする課題】
【０００６】
ところで、壁構造１０１（１０１Ａ）にあっては、残存型枠１０５の内側に打設されたコンクリート（具体的には、コンクリート床１１１又はコンクリート壁１０７を形成する際に打設されるコンクリート）の内圧によって、残存型枠１０５と水切り用両フランジ１１３との間に隙間が生じて、その隙間からコンクリートが漏れる場合がある。そのため、図９（ｂ）に示すように、従来の別タイプの壁構造１０１（１０１Ｂ）にあっては、残存型枠１０５を水切り用両フランジ１１３の内側に配置したり、図９（ｃ）に示すように、従来の別タイプの壁構造１０１（１０１Ｃ）にあっては、残存型枠１０５の下面と底板１０９の上面との間にシール材１１５を挟持されるように設けたりすることにより、残存型枠１０５の内側に打設されたコンクリートの漏れを防止している。なお、別タイプの壁構造１０１（１０１Ｃ）の周辺構造である床版１０３にあっては、底板１０９の外端面に水切り用両フランジ１１３が溶接によって設けられる代わりに、底板１０９の下面の外端側に残存型枠１０５の表面上の雨水を切る水切り用片フランジ１１７が溶接によって設けられている。
【０００７】
しかし、別タイプの壁構造１０１（１０１Ｂ，１０１Ｃ）にあっては、前述のように、残存型枠１０５の内側に打設されたコンクリートの漏れを防止することができるものの、別タイプの壁構造１０１（１０１Ｂ，１０１Ｃ）の周辺構造である床版１０３にあっても、壁構造１０１（１０１Ａ）の周辺構造である床版１０３と同様に、水切り用両フランジ１１３又は水切り用片フランジ１１７を底板１０９に溶接する際に、底板１０９を上下に反転させなければならない。そのため、床版１０３の組立作業が煩雑化して、床版１０３の組立コスト、換言すれば、建築物の構築コストが高くなるという問題がある。
【０００８】
そこで、本発明は、前述の問題を解決することができる、新規な構成の壁構造を提供することを目的とする。
【課題を解決するための手段】
【０００９】
本発明の第１の特徴は、建築物の床版に構築された壁構造において、前記床版の外端部に立設され、下端側が前記床版よりも下方向へ突出したコンクリート製の残存型枠と、前記残存型枠の内側面に一体的に接合され、前記残存型枠と前記残存型枠の内側に配置した内側型枠との間にコンクリートを打設することによって形成されたコンクリート壁と、前記残存型枠の内側面の下端側に前記残存型枠の幅方向に沿って横断するように設けられ、前記床版における底板の上面に近接した下部シール保持板と、前記下部シール保持板の下面と前記底板の上面との間に設けられた下部シール材と、を具備したことを要旨とする。
【００１０】
第１の特徴によると、前記下部シール保持板の下面と前記底板の上面との間に前記下部シール材が設けられているため、前記残存型枠の内側に打設されたコンクリート（具体的には、前記床版におけるコンクリート床又は前記コンクリート壁を形成する際に打設されたコンクリート）が前記残存型枠と底板の隙間から漏れることを防止できる。
【００１１】
また、前記残存型枠の下端側が前記床版よりも下方向へ突出しているため、前記残存型枠の下端によって前記残存型枠の表面上の雨水を切ることができる。
【００１２】
本発明の第２に特徴は、建築物の床版に構築された壁構造において、前記床版の外端部に立設されたコンクリート製の残存型枠と、前記残存型枠の内側面に一体的に接合され、前記残存型枠と前記残存型枠の内側に配置した内側型枠との間にコンクリートを打設することによって形成されたコンクリート壁と、前記残存型枠の下面と前記床版における底板の上面との間に挟持されるように設けられ、前記残存型枠の幅方向の全域に亘って延びてあって、外端側が下方向を向くように折曲がっているシール板と、を具備したことを要旨とする。
【００１３】
第２の特徴によると、前記残存型枠の下面と前記底板の上面との間に前記シール板が挟持されるように設けられているため、前記残存型枠の内側に打設されたコンクリートが前記残存型枠と底板の隙間から漏れることを防止できる。
【００１４】
また、前記シール板の外端側が下方向を向くように折曲がっているため、前記シール板の外端によって前記残存型枠の表面上の雨水を切ることができる。
【発明の効果】
【００１５】
本発明によれば、前記残存型枠の内側に打設されたコンクリートが前記残存型枠と前記底板の隙間から漏れることを防止した上で、前記残存型枠の下端又は前記シール板の外端によって前記残存型枠の表面上の雨水を切ることができるため、前記底板から水切り用フランジ（前述の水切り用両フランジ１１３又は水切り用片フランジ１１７に相当するフランジ）を省略することができ、前記底板を上下に反転させることなく、前記床版を組立てることができる。よって、前記床版の組立作業を簡略化して、前記床版の組立コスト、換言すれば、前記建築物の構築コストを低減することができる。
【発明を実施するための最良の形態】
【００１６】
（第１実施形態）
第１実施形態について図１から図６を参照して説明する。
【００１７】
ここで、図１は、第１実施形態に係る壁構造の断面図、図２は、上部シール保持板及び下部シール保持板が取付けられた状態の残存型枠を裏からみた図、図３は、図２を上から見た図、図４は、図２におけるIV-IV線に沿った図、図５は、図１における矢視部Vの拡大図、図６は、図１における矢視部VIの拡大図である。
【００１８】
図１に示すように、第１実施形態に係る壁構造１は、橋梁の床版３に構築された構造であって、壁構造１の具体的な構成等は、以下のようになる。なお、壁構造１の周辺構造である床版３は、橋梁の橋桁（図示省略）に設けられた底板５と、この底板５の上面に設けられかつ底板５を補強するＨ形鋼材７と、底板５の上面に一体的に接合されたコンクリート床９とを備えおり、コンクリート床９は、底板５の上側にコンクリートを打設することによって形成されたものである。
【００１９】
底板５の外端部には、複数（１つのみ図示）のコンクリート製の残存型枠１１が一対（１つのみ図示）のブラケット１３を介してそれぞれ立設されており、複数の残存型枠１１は、連結具（図示省略）によって一体的に連結されている。また、各残存型枠１１の下端側は、底板５よりも下方向へ突出してある。そして、壁構造１の主要な構成要素である残存型枠１１の具体的な構成は、次のようになる。
【００２０】
図２から図４に示すように、残存型枠１１は、四角形状の型枠本体１５を備えており、この型枠本体１５は、コンクリートからなるものである。そして、型枠本体１５の略全領域には、型枠本体１５を補強する鉄筋又は網状体等の補強骨材１７が埋設されており、この補強骨材１７は、鉄又はステンレス等からなるものである。また、補強骨材１７は、表面に、防食塗装が施されている。
【００２１】
補強骨材１７には、上下方向（型枠本体１５の高さ方向）へ延びた一対の溝形鋼材（形鋼材の１つ）１９が溶接等によって一体的に接合されており、各溝形鋼材１９の一部分（本発明の実施形態にあっては、溝形鋼材１９の短辺方向の長さｍの半分程度）は、型枠本体１５の内側面から露出している。また、各溝形鋼材１９には、複数の取付穴２１が間隔を置いて形成されており、複数の取付穴２１は、前記連結具等の取付に用いられるものである。更に、各溝形鋼材１９は、表面に、防食塗装が施されている。なお、上下方向へ延びた一対の溝形鋼材１９の他に、型枠本体１５の幅方向へ延びた複数の溝形鋼材が補強骨材１７に一対の溝形鋼材１９を連結するように接合されたり、溝形鋼材１９の代わりに、Ｈ形鋼材等の別の形鋼材を用いたりしても構わない。
【００２２】
各溝形鋼材１９の下端側には、取付金具２３が固定されており、各取付金具２３は、対応するブラケット１３に複数の締結ボルト２５によって締結可能になっている（図１参照）。
【００２３】
図１に示すように、複数の残存型枠１１の内側面には、コンクリート壁２７が一体的に接合されており、このコンクリート壁２７の上面は、床版３の内方向に向かって徐々に低くなるように水平方向に対して傾斜している。また、コンクリート壁２７は、残存型枠１１と残存型枠１１の内側にセパレート（図示省略）等を介して配置した木製の内側型枠２９との間にコンクリートを打設することによって形成されたものであって、木製の内側型枠２９は、壁構造１の構築後に撤去されるものである。更に、コンクリート壁２７には、コンクリート壁２７を補強する鉄筋ユニット３１が適宜に埋設されている。
【００２４】
図１及び図６に示すように、各残存型枠１１における型枠本体１５の内側面の下端側には、下部シール保持板３３が残存型枠１１の幅方向に沿って横断するように設けられており、各下部シール保持板３３の基端部は、対応する残存型枠１１における補強骨材１７に溶接等によって一体的に接合されている。また、各下部シール保持板３３は、鉄等からなるものであって、底板５の上面に近接している。更に、各下部シール保持板３３は、表面に、防食塗装が施されてあって、各下部シール保持板３３の先端部は、水平方向（換言すれば、型枠本体１５の厚み方向）に対して上向きに傾斜している。そして、各下部シール保持板３３の下面と底板５の上面との間には、下部シール材３５が挟持されるように設けられている。なお、下部シール材３５は、合成ゴムからなるシール板３５ａと、合成ゴム又は合成樹脂からなるペースト状のコーキング材３５ｂである。
【００２５】
図１及び図５に示すように、各残存型枠１１における型枠本体１５の内側面の上端側には、上部シール保持板３７が残存型枠１１の幅方向に沿って横断するように設けられており、各上部シール保持板３７の基端部は、対応する残存型枠１１における補強骨材１７に溶接等によって一体的に接合されている。また、各上部シール保持板３７は、鉄等からなるものであって、コンクリート壁２７の上面に近接している。更に、各上部シール保持板３７は、表面に、防食塗装が施されてあって、先端側が低くなるように水平方向に対して傾斜している。そして、各上部シール保持板３７の下面とコンクリート壁２７の上面との間には、上部シール材３９が設けられており、各上部シール材は、上方向からみたときに上部シール保持板３７に覆われている。なお、上部シール材３９は、合成ゴム又は合成樹脂からなるペースト状のコーキング材である。
【００２６】
続いて、第１実施形態の作用及び効果について説明する。
【００２７】
各下部シール保持板３３の下面と底板５の上面との間に下部シール材３５が挟持されるように設けられているため、残存型枠１１の内側に打設されたコンクリート（具体的には、床版３におけるコンクリート床９を形成する際に打設されたコンクリート）が残存型枠１１と底板５の隙間から漏れることを防止できる（打設コンクリートの漏れ防止作用）。特に、各下部シール保持板３３の先端部は、水平方向に対して上向きに傾斜しているため、残存型枠１１の内側に打設されたコンクリートの内圧により下部シール保持板３３の先端部にくさび効果が働いて、下部シール保持板３３の保持力が強まって、打設コンクリートの漏れ防止作用を高めることができる。
【００２８】
また、各残存型枠１１の下端側（各残存型枠１１における型枠本体１５の下端側）が底板５よりも下方向へ突出しているため、各残存型枠１１における型枠本体１５の下端によって型枠本体１５の表面上の雨水を切ることができる。
【００２９】
更に、各上部シール保持板３７の下面とコンクリート壁２７の上面との間に上部シール材３９が設けられ、各上部シール材は上方向からみたときに上部シール保持板３７に覆われてあって、コンクリート壁２７の上面が床版３の内方向に向かって徐々に低くなるように水平方向に対して傾斜しているため、紫外線による上部シール材３９の劣化を抑えつつ、残存型枠１１とコンクリート壁２７との接合部への雨水の侵入を長期に亘って防止することができる（雨水の侵入防止作用）。特に、各上部シール保持板３７は、先端側が低くなるように水平方向に対して傾斜しているため、各上部シール保持板３７の先端は残存型枠１１における型枠本体１５の内側面上の雨水を切ることができ、雨水の浸入防止作用を高めることができる。
【００３０】
また、各下部シール保持板３３の基端部及び各上部シール保持板３７の基端部が対応する残存型枠１１における補強骨材１７に一体的に溶接等によって接合されているため、各下部シール保持板３３及び各上部シール保持板３７を残存型枠１１に強固に固定することができる。
【００３１】
以上の如き、第１実施形態によれば、残存型枠１１の内側に打設されたコンクリートが残存型枠１１と底板５の隙間から漏れることを防止した上で、各残存型枠１１における型枠本体１５の下端によって型枠本体１５の表面上の雨水を切ることができるため、底板５から水切り用フランジ（前述の水切り用両フランジ１１３又は水切り用片フランジ１１７に相当するフランジ）を省略することができ、底板５を上下に反転させることなく、床版３を組立てることができる。よって、床版３の組立作業を簡略化して、床版３の組立コスト、換言すれば、橋梁の構築コストを低減することができる。
【００３２】
また、残存型枠１１とコンクリート壁２７との接合部への雨水の侵入を長期に亘って防止することができるため、壁構造１の耐久性を向上させることができる。
【００３３】
更に、各下部シール保持板３３及び各上部シール保持板３７を残存型枠１１に強固に固定できるため、壁構造１の構築作業中に、各下部シール保持板３３及び各上部シール保持板３７が残存型枠１１から離脱することを防止することができる。
【００３４】
（第２実施形態）
第２実施形態について図７及び図８を参照して説明する。
【００３５】
ここで、図７は、第２実施形態に係る壁構造の断面図、図８は、図７における矢視部VIIIの拡大図である。
【００３６】
図７及び図８に示すように、第２実施形態に係る壁構造４１は、橋梁の床版３に構築された構造であって、第１実施形態に係る壁構造１と略同じ構成を有しており、第２実施形態の係る壁構造４１の構成のうち、第１実施形態に係る壁構造１の構成と異なる部分（壁構造４１の下側部分の構成）について説明する。なお、第２実施形態に係る壁構造４１における複数の構成要素のうち、第１実施形態に係る壁構造１における構成要素と対応するものについては、図中に同一番号を付して、説明を省略する。
【００３７】
即ち、各残存型枠１１における型枠本体１５の下面は、底板５の上面に近接してあって、各残存型枠１１における型枠本体１５の下面と底板５の上面との間には、シール板４３が挟持されるように設けられている。また、各シール板４３は、合成ゴムからなるものであって、対応する残存型枠１１の幅方向の全域に亘って延びている。更に、各シール板４３は、外端側が下方向を向くように垂直に折れ曲がっている。なお、各シール板４３は、外端側が下方向を向くように折れ曲がっていれば、垂直に折れ曲がっていなくても構わない。
【００３８】
各残存型枠１１の下面と対応するシール板４３の上面との間には、コーキング保持板４５が挟持されるように設けられており、各コーキング保持板４５の基端部は、残存型枠１１における補強骨材１７に一体的に接合されている。また、各コーキング保持板４５は、鉄等からなるものであって、底板５の上面に近接している。更に、各コーキング保持板４５は、表面に、防食塗装が施されてあって、各コーキング保持板４５の先端部は、水平方向に対して上向きに傾斜している。そして、各コーキング保持板４５の下面と底板５の上面との間には、コーキング材４７が充填されるように設けられており、各コーキング材４７は、合成ゴム又は合成樹脂からなるものである。
【００３９】
続いて、第２実施形態の作用及び効果について説明する。
【００４０】
各残存型枠１１の下面と底板５の上面との間にシール板４３が挟持されるように設けられ、各コーキング保持板４５の下面と底板５の上面との間にコーキング材４７が充填されるように設けられているため、残存型枠１１の内側に打設されたコンクリート（具体的には、床版３におけるコンクリート床９を形成する際に打設されたコンクリート）が残存型枠１１と底板５の隙間から漏れることを防止できる（打設コンクリートの漏れ防止作用）。特に、各コーキング保持板４５の先端部は、水平方向に対して上向きに傾斜しているため、残存型枠１１の内側に打設されたコンクリートの内圧によりコーキング保持板４５の先端部にくさび効果が働いて、コーキング保持板４５の保持力が強まって、打設コンクリートの漏れ防止作用を高めることができる。
【００４１】
また、各シール板４３の外端側が下方向を向くように垂直に折曲がっているため、各シール板４３の外端によって残存型枠１１における型枠本体１５の表面上の雨水を切ることができる。
【００４２】
なお、第２実施形態においても、第１実施形態の作用の１つである雨水の侵入防止作用を奏する。
【００４３】
以上の如き、第２実施形態によれば、残存型枠１１の内側に打設されたコンクリートが残存型枠１１と底板５の隙間から漏れることを防止した上で、各シール板４３の外端によって残存型枠１１における型枠本体１５の表面上の雨水を切ることができるため、底板５から水切り用フランジ（前述の水切り用両フランジ１１３又は水切り用片フランジ１１７に相当するフランジ）を省略することができ、底板５を上下に反転させることなく、床版３を組立てることができる。よって、床版３の組立作業を簡略化して、床版３の組立コスト、換言すれば、橋梁の構築コストを低減することができる。
【００４４】
また、雨水の侵入防止作用を奏するため、壁構造１の耐久性を向上させることができる。
【００４５】
なお、本発明は、前述の第１実施形態及び第２実施形態の説明に限られるものではなく、例えば、各下部シール保持板３３の基端部及び各上部シール保持板３７の基端部が残存型枠１１における補強骨材１７に溶接等によって一体的に接合されないようにする等、その他、種々の態様で実施可能である。また、本発明に包含される権利範囲は、これらの実施形態に限定されないものである。
【図面の簡単な説明】
【００４６】
【図１】第１実施形態に係る壁構造の断面図である。
【図２】上部シール保持板及び下部シール保持板が取付けられた状態の残存型枠を裏からみた図である。
【図３】図２を上から見た図である。
【図４】図２におけるIV-IV線に沿った図である。
【図５】図１における矢視部Vの拡大図である。
【図６】図１における矢視部VIの拡大図である。
【図７】第２実施形態に係る壁構造の断面図である。
【図８】図７における矢視部VIIIの拡大図である。
【図９】従来の壁構造の断面図である。
【符号の説明】
【００４７】
１        壁構造
３        床版
５        底板
９        コンクリート床
１１        残存型枠
１５        型枠本体
２７        コンクリート壁
２９        内側型枠
３３        下部シール保持板
３５        下部シール材
３５ａ      シール板
３５ｂ      コーキング材
３７        上部シール保持板
３９        上部シール材
４１        壁構造
４３        シール板
４５        コーキング保持板
４７        コーキング材
【図１】
2009161944.tif 000003
【図２】
2009161944.tif 000004
【図３】
2009161944.tif 000005
【図４】
2009161944.tif 000006
【図５】
2009161944.tif 000007
【図６】
2009161944.tif 000008
【図７】
2009161944.tif 000009
【図８】
2009161944.tif 000010
【図９】
2009161944.tif 000011